(57)【要約】【課題】出し入れが簡単で、身体から離さず携行出来、バッグ、腰部へも兼用して装着が出来、安全で、確実な滑落防止方法を備えた電話機ホルダーと、人形等の収納ケースへの出し入れが容易で、安定した収納と、外部へ吊るした際に過剰な揺動が無い方法を得る。【解決手段】図１の如く、一個のスナップボタン（凹）：１と、二個のスナップボタン（凸）：２を取付けた折りたたみ式の装着版：Ａに、収納ケース：Ｂを鋲：３で取付ける。又、装着版：Ａへ備えた吊り環：Ｃと、又、ビニールパイプ：ａと、カン：ｂからなる４個の筒カン：６を備えて伸縮式とした肩掛け紐：Ｄの両者を、接手：４、接手：５で連結する。尚、財布：Ｈへ二個のスナップボタン（凹）：１を備えて装着版：Ａのスナップボタン（凸）：２へ着脱させる。マスコット人形：Ｆへ一部を直線とした保持環：Ｇを、ピン：ｅで胴部へ固定する。【選択図】　図１
2004129828.tif 000002
【特許請求の範囲】
【請求項１】
保持環を胴周りに備えて収納ケース上への搭載を目的とするマスコット人形と、又、環状の入り口を備えた収納ケースを、着脱ボタンを備えた折りたたみ式の装着帯へ取付ける式とし、肩に吊るす手段と、ズボン等の胴縁部で支持する手段を併用し身体へ保持させ、更に、財布を吊るす方法と、又、電話機附属のストラップへ環を取付け、紐、又はベルト上で移動させる方法の肩掛け式携帯電話機ホルダー。
【請求項２】
図１の如く、表側に一個のスナップボタン（凹）：１と、裏側に二個のスナップボタン（凸）：２を取付けた折りたたみ式の装着帯：Ａに、収納ケース：Ｂを鋲：３で取付ける。又、装着帯：Ａへ備えた吊環：Ｃと、又、ビニールパイプ：ａと、カン：ｂからなる４個の筒カン：６を備えて伸縮式とした肩掛け紐：Ｄの両者を、接手：４、接手：５で連結する。又、財布：Ｈへ二個のスナップボタン（凹）：１を備えて装着帯：Ａのスナップボタン（凸）：２へ着脱させる。又、図３の如く、マスコット人形：Ｆは、透明の樹脂系パイプ：ｃと、剛性の芯軸：ｄからなり、形状は一部に直線部を持つ保持環：Ｇを止めピン：ｅで胴部へ固定する。尚、胴背面にストラップ：８と、リング：９を取付け、肩掛け紐：Ｄ、又は吊環：Ｃへ吊るす。
【請求項３】
図６の横断面図に示す方法で、装着帯：Ｊ、絵柄面版：Ｋ、保持環：Ｌ、保持帯：Ｍ、鋲：Ｎ、帯接手：Ｏ、スナップボタン（凹）：Ｐ、スナップボタン（凸）：Ｑ、吊環：Ｒを備え、正面側が図８の如く、又、背面側が、図９の形態で構成された携帯電話機ホルダー。又、各郷土を代表する特徴品を絵柄模様の面版とし、線材を主体とする収納ケースを備え、又、関連する動物の人形を備え、尚、吊環は紐を使用し、図７に示す軌跡を辿り、固縛する方法を特徴とする携帯電話機ホルダー。更に、図９に示す如く、装着帯と収納ケースを備えた絵柄面版を一個の鋲で直接止める。
【発明の詳細な説明】
【０００１】
【発明の属する技術分野】
マスコット人形と肩掛け式携帯電話機ホルダーに関する。
【０００２】
【従来の技術】
従来の携帯電話機ホルダーは実用性を主体とするケース式で、腰ベルトへの装着式が一般的である。又、遊び心的要素をマスコット人形等の収納兼用することを目的とした物はない。
【０００３】
【発明が解決しようとする課題】
電話機の出し入れが簡単で、身体から離さず携行出来、バッグ、及び、腰部へも兼用して装着が出来る安全で、確実な滑落防止方法を備え、又、各地域の特徴品を反映させることが可能なホルダーと、遊び心的要素のマスコット人形等の収納ケースへの出し入れが容易で、安定した収納と、外部へ吊るした際に、過剰な揺動が無い方法を得る。
【０００４】
【課題を解決するための手段】
図１の如く、表側に一個のスナップボタン（凹）：１と、裏側に二個のスナップボタン（凸）：２を取付けた折りたたみ式の装着版：Ａに、収納ケース：Ｂを鋲：３で取付ける。又、装着版：Ａへ備えた吊環：Ｃと、又、ビニールパイプ：ａと、カン：ｂからなる４個の筒カン：６を備えて伸縮式とした肩掛け紐：Ｄの両者を、接手：４、接手：５で連結する。又、財布：Ｈへ二個のスナップボタン（凹）：１を備えて装着版：Ａのスナップボタン（凸）：２へ着脱させる。又、図３の如く、マスコット人形：Ｆは、透明の樹脂系パイプ：ｃと、剛性の芯軸：ｄからなり、形状は一部に直線部を持つ保持環：Ｇを止めピン：ｅで胴部へ固定する。尚、胴背面にストラップ：８と、リング：９を取付け、肩掛け紐：Ｄ、又は吊環：Ｃへ吊るす。
【０００５】
【発明の実施の形態】肩から吊るした収納ケースを、更にズボン等の胴周りで保持させる式で落下防止と、横振れを防ぐ事を目的とする。尚、電話機の出し入れが容易で、更に滑落を防ぐ為、電話機附属のストラップ端部へ備えたリングを肩紐上で自由移動させる。又、ズボン等の胴縁へ容易に装着させるため、又、腰ベルト等へ単独で保持させるため、装着帯を折りたたみ式とし、端部へ着脱ボタンを取付ける。尚、財布に着脱ボタンを付加してズボンの内側に装着する。バッグ、腰ベルト、腕等等にも兼用させるため、装着版の吊環と肩掛け紐とを分離式として、尚、肩掛け紐には柔軟性と復元性を持つビニールパイプ利用の筒カンに紐を通し、その摩擦力と緊縛性を利用して、紐上で筒カンを移動させて長さ調整として利用する。又、装着帯各郷土の、特産物の絵柄模様の面版を取付け、文字を刻印する。
【０００６】
遊び心的要素としての柔軟性で、小柄な小動物等のマスコット人形を、着脱が容易で、又、サークル周りで立体的に遊ぶ赤ちゃんを連想させるため、尚、錘効果を備える為、人形の胴周りに保持環を取付け、ケースの胴縁へ安定して搭載させる式とする。又、バッグの取っ手、及び、腰部等へ単独で吊るす場合、過剰に遊動させないため、環の一部に直線部を設け、面と直線部を接触させる。
【０００７】
【実施例】図１は全体の構成を示す斜視図であり、表側に一個のスナップボタン（凹）：１と、裏側に二個のスナップボタン（凸）：２を取付けた折りたたみ式の装着版：Ａに、収納ケース：Ｂを鋲：３で取付ける。又、装着版：Ａへ備えた吊環：Ｃと、又、ビニールパイプ：ａと、カン：ｂからなる４個の筒カン：６を備えて伸縮式とした肩掛け紐：Ｄの両者を、接手：４、接手：５で連結する。又、財布：Ｈへ二個のスナップボタン（凹）：１を備えて装着版：Ａのスナップボタン（凸）：２へ着脱させる。又、保持環：Ｇを備えたマスコット人形：Ｆの胴部背面にストラップ：９と、リング：１０を取付け、肩掛け紐：Ｄ、又は吊環：Ｃへ吊るす。図２はホルダー廻りの基本構成を示す断面図で、又、ズボン等の胴縁へ装着する場合を示す断面図である。
【０００８】
図３は人形と保持環の関係図であり、図中の組立正面図では収納ケ−ス上に保持環を取付けた人形が搭載された状態を示している。又、Ｘ−断面で示すように保持環：Ｇは樹脂系パイプ：ｃに鋼製の芯軸：ｄを内在させて形状は一部に直線部を持つ環として、組み込まれた人形胴部をピンで止めている。
【０００９】
図４において、（イ）図は人形が収納ケースの外部へ吊られている状態を示し、（ロ）図は人形が収納ケース上に搭載された状態を示している。（ハ）図は使用例を示し、肩掛け紐で片方の肩へホルダ−を吊るし、更にズボンの胴縁で保持させている状態を示しており、電話機が紐上で移動できることを示しており、又、吊られた人形が収納された状態を示している。電話機が紐上で移動できることを示しており、又、吊られた人形が収納された状態を示している。図（ニ）は肩掛け紐を両肩吊るした状態を示している。図（ホ）は、吊りカンを肩掛け紐から外し、バッグの取っ手に吊るし、人形は収納ケースに搭載されている状態を示し、一方、ストラップとリングを取っ手に絡めて保持させ、電話機はバッグ内へ収納させる方法を示している。
【００１０】
又、図６の横断面図に示す方法で、装着帯：Ｊ、絵柄面版：Ｋ、保持環：Ｌ、保持帯：Ｍ、鋲：Ｎ、帯接手：Ｏ、スナップボタン（凹）：Ｐ、スナップボタン（凸）：Ｑ、吊環：Ｒを備え、正面側が図８の如く、又、背面側が、図９の形態で構成された携帯電話機ホルダー。又、各地域を代表する特徴品を絵柄模様の面版とし、線材を主体とする収納ケースを備え、又、関連する動物の人形を備え、尚、吊環は紐を使用し、図７に示す軌跡を辿り固縛する方法を特徴とする携帯電話機ホルダー。更に、図９に示す如く、装着帯と、収納ケースを備えた絵柄面版を一個の鋲で直接止める。
【００１１】
【発明の効果】
肩から吊るす式と尚、ズボン等の胴縁で支持する式の併用は荷重が分散され、簡単で確実な離脱防止が得られ、尚、肩掛け紐に連結される構造は電話機を身体から離さずに利用でき、胴回りでの使用範囲が拡がる。又、紐に代えてベルト式でも利用できる。又、肩掛け紐の長さは軟性の樹脂パイプを剛性の環で包む式の筒カンの利用により、適度な摩擦力で緊縛される為、身体に掛けたままで簡単に調節できる。吊り環は連結式のため、肩掛け紐の長さを代えるだけで腕にも兼用出来る。マスコット人形の収容目的とするホルダーであるため収納ケース上で小動物が戯れる形態となり、又、保持環は透明性で直線部と曲線部を備えているため、見た目に美しく、バッグ等の面に吊るした場合、直線部と平面部との接触となるため過剰な遊動を押さえられ、電話機を収容しない時にも、サークル内で吊るせば戯れる小動物として表現でき、又、その時々の流行のキャラクター物、絵柄を容易に反映させることが出来、実用と遊び心的要素の両者を兼ね備えることになり、癒し効果も期待できる。別の方法で、吊り環をバッグの取っ手に絡めて人形は収納ケースへ納め、電話機はバッグ内へ収納して両者を携行出来る。又、ケースへの着脱が簡単容易であり、腰ベルト、ハンドバッグでの兼用が容易である。装着版の両端を着脱ボタンで連結する式のため、紐から外し、独立で腰ベルト、又はバッグへ簡単に装着出来る。又、絵柄模様の面版と、関連する人形は各地域を代表する特徴品を反映させることが出来る。
【図面の簡単な説明】
【図１】全体の構成を示す斜視図
【図２】ホルダー廻りの基本構成を示す断面図
【図３】人形と保持環の関係を示す正面斜視図
【図４】人形とホルダ−の関係を示す正面斜視図
【図５】使用例を示す正面斜視図
【図６】（請求項３）の説明を示す横断面図
【図７】（請求項３）吊環紐の軌跡を示す斜視図
【図８】（請求項３）の説明を示す正面斜視図
【図９】（請求項３）の説明を示す背面斜視図
【図１０】（請求項３）の説明と、応用例を示す横断面図
【符号の説明】
（請求項２）における説明、装着版：Ａ、収納ケース：Ｂ、吊りカン：Ｃ、肩掛け紐：Ｄ、人形：Ｆ、人形保持環：Ｇ、財布：Ｈ、携帯電話機：Ｉ，スナップボタン（凹）：１、スナップボタン（凸）：２、鋲：３、連結具：４、連結具：５、筒カン：６、ツマミリング：７、ストラップ：８、着脱リング：９，ストラップ：１０、着脱リング：１１。
（請求項３）における説明、装着帯：Ｊ、絵柄面版：Ｋ、保持環：Ｌ、保持帯：Ｍ、鋲：Ｎ、帯接手：Ｏ、スナップボタン（凹）：Ｐ、スナップボタン（凸）：Ｑ、吊環：Ｒ。、
【図１】
2004129828.tif 000003
【図２】
2004129828.tif 000004
【図３】
2004129828.tif 000005
【図４】
2004129828.tif 000006
【図５】
2004129828.tif 000007
【図６】
2004129828.tif 000008
【図７】
2004129828.tif 000009
【図８】
2004129828.tif 000010
【図９】
2004129828.tif 000011
【図１０】
2004129828.tif 000012